(57)【要約】【課題】  表示シートに表記された文字の視認性を高め、シート面全体をきれいな状態に保つようにする。【解決手段】  ダイヤルボタン１１、ワンタッチダイヤルボタン９等の操作ボタンが設けられるアッパーケース３の表面部をケース端部にまで達するようにし、全面を載置面８として表示シート６で全面的に覆い、ケース端部の取付け孔３ａへの係合片７ａを持つ透明パネル７により押圧し装着する。ワンタッチダイヤルに登録した相手先を記入した表示シート６の印刷データを利用者がシート作成ソフトを用いて作成し、機種に応じてレイアウトされた用紙に印刷することにより表示シートを得る。プリンタにより印刷された表示シートを用いることによって、視認性が高く表示シート全体をすっきりときれいな状態に保つことを可能にする。【選択図】        図１
2005142782.tif 000002
【特許請求の範囲】
【請求項１】
発呼に必要な入力を行うための操作部、該操作部の操作端子を露出させる構造の筐体を有し、該操作端子を露出させる筐体表面部を筐体端部に達する平面で構成した通信端末装置であって、前記筐体表面部を全面覆い前記操作端子に対応付けた表記を可能にした表示シートと、該表示シートを筐体に着脱自在に取付ける筐体端部に設けた取付手段を備えたことを特徴とする通信端末装置。
【請求項２】
請求項１に記載された通信端末装置において、前記表示シートを筐体の前記筐体表面部に押圧する透明パネルを具備し、該透明パネルに前記取付手段への係合手段を設けたことを特徴とする通信端末装置。
【請求項３】
請求項１又は２に記載された通信端末装置において、前記表示シートの表記に印刷によるものを用いたことを特徴とする通信端末装置。
【請求項４】
請求項１に記載された通信端末装置の筐体表面部に取付ける表示シートを作成する方法であって、保存された操作端子の表示シート作成情報を読み出す工程、読み出した表示シート作成情報に基づいて表示シートレイアウトを表示する工程、表示した表示シートレイアウトに従って文字又は画像情報を入力する工程、入力された文字又は画像情報と前記表示シートレイアウト情報に基づいて表示シートの印刷情報を作成する工程、作成された印刷情報を前記操作端子に対応して型取りされた用紙に印刷する工程、を有することを特徴とする表示シート作成方法。
【発明の詳細な説明】
【技術分野】
【０００１】
本発明は、電話機等の通信端末装置に関し、操作ボタンに対応付けた表記を可能にした表示シートを操作部に着脱可能にして、該シートを交換できるようにした通信端末装置、及び前記表示シートを利用者がプリンタを用いて作成することを可能にする表示シート作成方法に関する。
【背景技術】
【０００２】
電話機においては、従来から短縮ダイヤルやワンタッチダイヤルなどの機能として、相手先を呼び出すときの操作を簡単にする機能が用いられている。この機能は、相手先の電話番号をダイヤルボタン或いは複数のワンタッチダイヤル機能ボタンそれぞれに対応して登録し、発呼時には登録したボタンだけを押す操作をすれば良い様にするものである。この機能を利用する際には、利用者が予め必要とする相手先をそれぞれのボタンに登録した後、使用時に登録した中から相手先ボタンの選択・操作をするが、その操作を案内するために、各ボタンに対応する相手先の名称や電話番号を各ボタンに付記する方法をとっている。具体的には、操作ボタンのある電話機の筐体（ケース）面に表示シートを装着し、ここに操作ボタンに対応付けた相手先を書き込むという方法を用いている。
下記特許文献１は、このような表示シートを用いる方法を採用した従来例を示すものである。特許文献１においては、テンキーボタンに対して予め登録された相手先の名称を示す表示シートを用いるもので、このシートは筆記具等で書き込むことができるものとしている。また、この表示シートの本体への装着のし方は、テンキーボタン周囲の筐体における表示シート分の領域を窪んだ構造にして、そこにシートを装着することによりシートがずれ難いようにし、さらに本体への固定用凸部をもつ透明カバーによりシートを押さえるようにしたものである。
【特許文献１】特開2001-144840号公報
【発明の開示】
【発明が解決しようとする課題】
【０００３】
しかしながら、上記従来例には次に示す問題点がある。即ち、第1に表示シートをテンキーボタン周囲の筐体の窪みに装着するようにしたので、窪みに塵埃が溜まりやすく、手書き文字であることと相俟って付記した文字が見難い状態になり易く、見た目も不潔である。第２にシートの文字が見難い状態になった場合或いは操作ボタンに登録する相手先を変更する場合には、その都度シートを書き換える必要があるが、手書きであるから煩わしく手間が掛かる。
本発明は、電話機の操作ボタンに対応付けて相手先を表記する表示シートを着脱可能にした従来技術における上記した問題点に鑑み、これを解決するためになされたもので、その第１の目的は、表示シートを操作ボタン周囲の窪みに装着する従来技術のようにシートが塵埃の影響により見難くなることがなく、シートに表記された文字の視認性を高くし、シート面全体をきれいな状態に保つようにすることにある。また、第２の目的は、視認性の高い表示シートを容易に作成し得るようにすることにある。
【課題を解決するための手段】
【０００４】
請求項１の発明は、発呼に必要な入力を行うための操作部、該操作部の操作端子を露出させる構造の筐体を有し、該操作端子を露出させる筐体表面部を筐体端部に達する平面で構成した通信端末装置であって、前記筐体表面部を全面覆い前記操作端子に対応付けた表記を可能にした表示シートと、該表示シートを筐体に着脱自在に取付ける筐体端部に設けた取付手段を備えたことを特徴とする通信端末装置である。
請求項２の発明は、請求項１に記載された通信端末装置において、前記表示シートを筐体の前記筐体表面部に押圧する透明パネルを具備し、該透明パネルに前記取付手段への係合手段を設けたことを特徴とするものである。
請求項３の発明は、請求項１又は２に記載された通信端末装置において、前記表示シートの表記に印刷によるものを用いたことを特徴とするものである。
請求項４の発明は、請求項１に記載された通信端末装置の筐体表面部に取付ける表示シートを作成する方法であって、保存された操作端子の表示シート作成情報を読み出す工程、読み出した表示シート作成情報に基づいて表示シートレイアウトを表示する工程、表示した表示シートレイアウトに従って文字又は画像情報を入力する工程、入力された文字又は画像情報と前記表示シートレイアウト情報に基づいて表示シートの印刷情報を作成する工程、作成された印刷情報を前記操作端子に対応して型取りされた用紙に印刷する工程、を有することを特徴とする表示シート作成方法である。
【発明の効果】
【０００５】
本発明によると、操作部が設けられる筐体表面部を全面覆って筐体端部に達する表示シートを筐体端部の取り付け手段により着脱自在に取り付けるようにし、透明パネルで筐体表面部に押圧し保持するようにしたので、操作ボタン周囲の窪みに装着する従来技術のように表示シートが塵埃の影響により見難くなることがなく、しかも印刷により得た表示シートを用いることにより、視認性を高め、表示シート面全体をすっきりときれいな状態に保つことが可能になる。
また、操作端子に対応して型取りされた用紙に表示シート作成ソフトウェアにより作成した印刷情報を印刷するようにしたので、前記用紙とソフトウェアを用意することにより、表示シートに書き込まれる相手先を変更したり、表示シートの表記が見難くなった場合にも、利用者によって容易に表示シートを作成し直し、表示シートを最適な状態で利用することが可能になる。
【発明を実施するための最良の形態】
【０００６】
本発明を添付する図面とともに示す以下の実施形態に基づき説明する。
先ず、本発明に係わる通信端末装置について、電話機を実施形態とした場合の一例を以下に示す。
図１は、この実施形態の電話機の外観を示す斜視図で、図中には本体の外、本体に装着する表示シート、透明パネルを分解した形式で示す。
図１において、本体部分１はロアーケース２とアッパーケース３の上下のケースからなる筐体に送受話器（図示せず）を除く本体の装置を収納している。アッパーケース３は、送受話器を載せる送受話器載置部５と液晶表示装置等の文字図形が可変表示可能な表示板４の取り付け部を持ち、それらを除く部分は操作部が設けられる表面部となる。
操作部が設けられるアッパーケース３の表面部は、そこに備えられた各種の操作端子（ボタン）への操作を可能とするように、ボタンを表面部から突出させている。操作ボタンは、電話番号をダイヤルするときに通常用いるテンキー等のダイヤルボタン１１の外に、ワンタッチダイヤル機能を用いるときの機能ボタン９を備える。
ワンタッチダイヤル機能は、相手先の電話番号を複数の機能ボタン９（この例では、３０個のボタンを持っている）それぞれに対応して登録し、発呼時に登録したボタンだけをワンタッチする操作をすれば良い様にするものである。なお、操作部には上記のボタン以外に、十字キー１０など電話機が備える各種の機能を利用するときに操作されるボタンを備える。
【０００７】
ここで、操作部が設けられるアッパーケース３の表面部に装着する表示シートについて説明する。本実施形態では、表示シートはワンタッチダイヤル機能と関係する。
ワンタッチダイヤル機能を用いるときの機能ボタン９は、図１の例に示すように、多数のボタンがあり、各々に相手先の電話番号を登録している。したがって、この機能を利用する場合には、これらのボタンの中から掛けようとする相手先のボタンを選択して操作するので、その操作を容易にするために各ボタンに対応して相手先の表記（例えば、相手先の名称や電話番号などを記す）をした表示シートを装着するようにしている。この表示シートは、本来この機能を利用するためにボタンへの登録を行った利用者が作成するもので、作成の際には、登録した相手先をシートへ記入するという作業を行う。この作業は相手先が変更される度に行われる。また、書き換えたシートを交換する必要があるので、本体にシートが着脱自在に装着されるような構造になっている。
従来、表示シートの本体への装着は、操作ボタンの周囲のケースに窪みを設けて装着する方法をとっていたが、上記［発明が解決しようとする課題］の項に示した問題が生じる。そこで、本実施形態では、窪みを設けずに操作部が設けられるアッパーケース３の表面部を、図１に示すようにケース端部にまで達するようにし、全体を１平面の構成にする。この表面部を表示シート載置面８として表示シート６により全面的に覆い、アッパーケース３の端部で取付け孔３ａにより取付けるようにする。なお、本実施形態では、後述する透明パネルによって表示シートを押さえるようにするので、表示シート６には取付け手段を設けていないが、表示シートに直接、取付け孔３ａへの係合手段を設けるような構造にしても良い。
また、従来、表示シートには手書きで相手先の名称の記入をしていたが、この点についても上記［発明が解決しようとする課題］の項に示した問題が生じる。そこで、プリンタにより表示シートを印刷することにより視認性の高い表示シートを用いるようにする。なお、表示シートの作成方法については後記で詳述する。
このように、操作部が設けられるアッパーケース３の表面部全面を覆い、プリンタにより印刷された表示シート６を用いることによって、視認性が高く表示シート全体をすっきりときれいな状態に保つことを可能にする。
【０００８】
また、本実施形態においては、図１の分解図に示すように、表示シート６をアッパーケース３の表面部に押圧する透明パネル７を備える。これは、上記のように操作部が設けられるアッパーケース３の表面部全面を表示シート載置面８として表示シートにより覆うようにしたこと、さらに後述するように、表示シート６として印刷可能な紙等の媒体を用いるようにすることから、シートをアッパーケース３の表示シート載置面８に密着させ、押さえるために必要なものである。さらに、本実施形態では透明パネル７をアッパーケース３へ着脱自在に取付けるために、ケースへの係合片７ａを透明パネル７に設ける。この係合片７ａはアッパーケース３の端部に設けた取付け孔３ａに係合するもので、係合時には装着状態での表示シートを確実に押さえることができ、又表示シートを取り外す時に係合状態を解除することにより表示シートの装脱を可能にする。
【０００９】
図２は、表示シート６の具体例を示すものである。同図に示す表示シート６は、アッパーケース３のシート載置面８に合わせた形状になっており、操作部の各種操作ボタンの部分が切り抜かれている。図示の表示シート６は、電話機等の通信端末装置のメーカーなどの提供元から配布される各機種に応じた定型用紙であり、ワンタッチダイヤルの各ボタンに対応して書き込まれる相手先は未記入の状態にある。ワンタッチダイヤル機能を利用する際に利用者によって相手先が登録された場合には、登録された相手先をこの未記入スペースに書き込む。図示の例では、３０個用意されているワンタッチダイヤルボタンに対応して設けられたスペースに相手先の名称等を書き込む。なお、この用紙には、各種ボタンに付記される文字の中、利用者の入力が不要な文字は予め印刷されている。
【００１０】
次に、上記した表示シート６の作成方法に関する実施形態を説明する。
上記した電話機に装着される表示シート６の作成は、利用者が記す相手先名の視認性を高め、手書きに掛かる手間をなくすことを意図してなされ、本実施形態では用紙に記入する相手先名をプリンタで印刷する方法をとる。以下に表示シート６の作成をプリンタを用いて容易に行うための方法について、その実施形態を示す。
本実施形態では、電話機等の通信端末装置のメーカーなどから提供される表示シート作成ソフトウェアを用いて作成する。
従って、表示シート作成ソフトウェアをインストールして印刷データを生成するための処理を行うＰＣ（パーソナル コンピュータ）とＰＣからの印刷指令に従って印字出力を行うプリンタよりなる印刷処理システムを用意する必要がある。なお、この印刷処理システムのハード構成自体は、既存のシステムの構成を用いることにより実施することができる。
また、印刷処理システムを構成するＰＣにインストールする表示シート作成ソフトウェアを取得する場合に、CDROM等のリムーバブルな記録媒体を介して取得する方法でも良いが、インターネットなどのネットワークに接続することにより通信手段を介して提供元から取得する方法によっても良い。
【００１１】
図３は、本実施形態における表示シートの作成工程を示すフロー図である。
図３に示す工程に従うと、先ず、利用者は提供元である電話機メーカー等の指定されたホームページより、そこに載せられている表示シート作成用プログラムをネットワーク経由で自分のＰＣにダウンロードし、記憶手段に格納する(ステップS101)。
前記プログラムは、この表示シートの作成処理に必要な手順を実行するためのプログラムであり、図２に例示した定型のフォーマットの表示シートに利用者が相手先名等のデータを付加して印刷出力するための印刷データの作成処理手順を実行するための指令が記述されている。なお、このプログラムでは、利用者が相手先名等を付加する表示シート６の対象領域（この例ではワンタッチダイヤルボタンに対応する表記スペース）に対する入力操作を必要とするので、表示シート６を作成するための情報として、少なくとも表示シートのレイアウト情報をプログラムに付随させておくか、予めＰＣに保存しておいて、レイアウトに従った入力操作ができるようにする。
次いで、記憶手段に格納した表示シート作成用プログラムを立ち上げて(ステップS102)、表示シート作成処理を開始する。表示シート６の作成に用いるデータの１つは、ワンタッチダイヤル登録したボタンに対応して記入される相手先名のデータを作る処理であり、この処理を行うための入力画面が表示される。この入力画面には、表示シート６のレイアウトデータをもとにワンタッチダイヤルボタンに対応する表記スペースを含め表示シート６の表記面のレイアウトが示され、画面の指示に従い各表記スペースに対して相手先名のデータ入力を行うことを可能にする。
具体的には、利用者は、画面表示の指示に従ってワンタッチダイヤル登録をしたボタンを指定し、指定したボタンに対応付けて印刷する相手先名の文字の入力、削除等表示シート６の作成に必要な処理を行う（ステップS103）。
【００１２】
その後に、この表示シート６の作成に用いるデータの処理として、ここではさらに表示シート６の余白部分に印刷するグラフィックデータの入力を行う（ステップS104）。ここでいう表示シート６の余白部分は、相手先名の文字を記入するワンタッチダイヤル面を除く表示シート面を指す。本実施形態では、各種操作ボタンを設けたアッパーケース３の表面全体が表示シート６により覆われるので、相手先名の文字を記入するワンタッチダイヤル面以外の表示シート面には余白部分ができる。この余白は、この表示シート６を作成する印刷処理で自由に使える部分であり、ここをグラフィックデータによる印刷面として用いることにより、装飾性を持たせることが可能になる。
図4は、装飾性を持たせることを意図して表示シート６の余白部分に印刷するグラフィックの1例を示すもので、図２の用紙に印刷される模様が描かれている。なお、図4中の四角い空白部分はワンタッチダイヤル面に対応する部分である。
この余白部分のデータを作成するためのグラフィックデータ入力を具体化する方法としては、例えば色、模様などを異にした様々なデザインのグラフィックデータを用意しておき、その中から利用者の好みにより選択するという方法を採用することが可能である。用意するグラフィックデータは、前記表示シート作成用プログラムにデータをプリセットしておく方法でも良いし、ソフトの提供元である電話機メーカー等の指定されたホームページにグラフィックデータだけをアップロードしておき、このホームページ上に蓄積されたたくさんのデータの中から利用者が選択することができるようにしても良い。
上記以外にも、利用者がデジタルカメラなどで撮影した写真をもとに表示シート作成用プログラムに用いるグラフィックデータを編集するという方法を用いるようにすることも、PCによる撮影画像の編集において一般的に利用されている方法を適用することにより実現し得る。この方法を用いて固有のグラフィックを表示シート６にデザインすることにより、利用者によるカスタマイズが可能になる。
【００１３】
表示シート６の作成に用いる相手先名やグラフィックデータの入力が終了した後、入力されたこれらのデータと表示シート６における表記のレイアウトデータに基づいて表示シート６における表記データを編集し、編集した表記データから表示シート６の印字をプリンタに行わせるための印刷データを生成する（ステップS105）。このときに生成した印刷データを保存しておき、表示シート６を作成し直す場合や、登録を変更する場合に保存しておいたデータを用い、或いはそのデータに対する追加、削除を行うことにより容易に新たなデータを作成することを可能にする。表示シート６の作成に用いるデータの保存方法は、上記に限らず、利用者がデータ入力を行った時のデータ形態でも、表記データの編集時のデータ形態で保存する方法でも良い。なお、上記ステップS103〜S105は、前記表示シート作成用プログラムの手順として実行される。
次いで、プリンタに表示シート６の用紙をセットする（ステップS106）。なお、この時に用いる用紙は図２に示すように、操作ボタンの部分が切り抜かれ、かつサイズも特殊な用紙であるから、図示の用紙をそのままプリンタに掛けることができない。したがって、プリンタに一般的に用いられているサイズの用紙に図２に示されるような定型の表示シートを型抜き可能に加工された特別な用紙を用いる。
プリンタはセットされた型抜き可能に加工された用紙に前記表示シート作成用プログラムにより作成された印刷データに基づき印刷を行う（ステップS107）。この印刷出力は、ＰＣとプリンタを接続した一般的な印刷処理システムにおけると同様に、ＰＣが持つプリンタドライバが印刷データに基づいて生成する印刷指令をプリンタに送信し、プリンタを駆動することによって行うことが可能である。
次ぎに、印刷された用紙から表示シートの型を抜き、取り出すと、シートの作成が完了するので、これを電話機のアッパーケース３の表示シート載置面８に載せる。その後、透明パネル７を表示シート６の上に重ねて、その係合片７ａをケースの係合孔３ａに係合することによって、シートの装着が完了する（ステップS108）。
以上のように、電話機等の通信端末装置のメーカーなどの提供元から得た表示シート作成ソフトウェアを用いて表示シートを作成することができるので、相手先を変更したり、シートの表記が見難くなった場合にも、容易にきれいな表示シートを作成し直し、最適な状態で利用することが可能になる。
【図面の簡単な説明】
【００１４】
【図１】本発明の実施形態に係わる電話機の外観を示す斜視図で、本体に装着する表示シート、透明パネルを分解した形式で示す。
【図２】表示シートの具体例を示す。
【図３】表示シートの作成工程を示すフロー図を示す。
【図４】表示シートの余白部分に用いるグラフィックの1例を示す。
【符号の説明】
【００１５】
１…電話機本体、                ２…ロアーケース、
３…アッパーケース、          ３ａ…取付け孔、
４…表示板、                    ５…送受話器載置部、
６…表示シート、                ７…透明パネル、
７ａ…係合片、                    ８…表示シート載置面、
９…機能ボタン、              １０…十字キー、
１１…ダイヤルボタン。
【図１】
2005142782.tif 000003
【図２】
2005142782.tif 000004
【図３】
2005142782.tif 000005
【図４】
2005142782.tif 000006